(57)【要約】  本願は基地局機能配備方法及び装置を提供する。基地局は少なくとも第１無線センター・システムＲＣＳと第１無線リモート・システムＲＲＳとを含む。方法は：第１ＲＲＳと第１ＲＣＳとの間で利用可能な伝送リソースに合う選択された分割の仕方を取得するステップであって、選択された分割の仕方は、基地局の機能を第１機能グループと第２機能グループとに分割するために使用される、ステップ；及び第１機能グループに含まれる基地局機能であって選択された分割の仕方に基づいて決定される基地局機能を第１ＲＣＳに配備し、第２機能グループに含まれる基地局機能であって選択された分割の仕方に基づいて決定される基地局機能を第１ＲＲＳに配備するステップを含む。本願で提供される方法、装置等によれば、分割の仕方は、利用可能な伝送リソースに基づいて選択されることが可能であり、それにより伝送リソースは十分に使用され得る。従って、伝送リソースの浪費は削減されることが可能であり、不十分な伝送リソースに起因して基地局のサービス・パフォーマンスが影響を被るケースを回避する。
2020513184.tif 000002
【特許請求の範囲】
【請求項１】
基地局機能配備方法であって、基地局は少なくとも第１無線センター・システムＲＣＳと第１無線リモート・システムＲＲＳとを含み、前記方法は：
前記第１ＲＲＳと前記第１ＲＣＳとの間で利用可能な伝送リソースに合う選択された分割の仕方を取得するステップであって、前記選択された分割の仕方は、前記基地局の機能を第１機能グループと第２機能グループとに分割するために使用され、前記第２機能グループに含まれる機能により要求されるコンピューティング・リソースは、利用可能なコンピューティング・リソースより多くはなく、前記第１機能グループと前記第２機能グループとの間のデータ伝送により要求される伝送リソースは、前記利用可能な伝送リソースより多くはなく、前記利用可能なコンピューティング・リソースは、前記第１ＲＲＳにおけるコンピューティング・リソースであって基地局機能を処理するために割り当てられるコンピューティング・リソースである、ステップ；
前記第１機能グループに含まれる基地局機能であって前記選択された分割の仕方に基づいて決定される基地局機能を前記第１ＲＣＳに配備し、前記第２機能グループに含まれる基地局機能であって前記選択された分割の仕方に基づいて決定される基地局機能を前記第１ＲＲＳに配備するステップ；
を含む方法。
【請求項２】
前記第１ＲＲＳと前記第１ＲＣＳとの間で利用可能な伝送リソースに合う選択された分割の仕方を取得する前記ステップは：
前記第１ＲＲＳと前記第１ＲＣＳとの間で利用可能な伝送リソースに合う選択された分割の仕方を周期的に取得するステップ；又は
前記第１ＲＲＳのエア・インターフェースの負荷が変化する場合に、前記第１ＲＲＳと前記第１ＲＣＳとの間で利用可能な伝送リソースに合う選択された分割の仕方を取得するステップ；又は
前記利用可能な伝送リソースが変化する場合に、前記第１ＲＲＳと前記第１ＲＣＳとの間で利用可能な伝送リソースに合う選択された分割の仕方を取得するステップ；
を含む、請求項１に記載の方法。
【請求項３】
前記第１機能グループは、ＲＲＣ機能とＰＤＣＰ機能とを含み、前記第２機能グループは、ＲＬＣ機能と、ＭＡＣ機能と、ＰＨＹ機能と、ＩＲＦ機能とを含む、請求項１に記載の方法。
【請求項４】
前記利用可能な伝送リソースが第１伝送閾値より多く、第２伝送閾値より多くはない場合、前記第１機能グループは、ＲＲＣ機能と、ＰＤＣＰ機能と、ＲＬＣ機能と、ＭＡＣ機能とを含み、前記第２機能グループは、ＰＨＹ機能と、ＩＲＦ機能とを含み；又は
前記利用可能な伝送リソースが第２伝送閾値より多い場合、前記第１機能グループは、前記ＲＲＣ機能と、前記ＰＤＣＰ機能と、前記ＲＬＣ機能と、前記ＭＡＣ機能と、ＰＨＹ−Ｈ機能とを含み、前記第２機能グループは、ＰＨＹ−Ｌ機能と、前記ＩＲＦ機能とを含む、請求項２に記載の方法。
【請求項５】
前記基地局は第２ＲＲＳを更に含み；及び
前記方法は：前記第２機能グループに含まれる前記基地局機能を前記第２ＲＲＳに配備するステップを更に含む、請求項１−４のうち何れか１項に記載の方法。
【請求項６】
前記基地局は少なくとも２つのＲＣＳを含み；及び
前記第１ＲＲＳと前記第１ＲＣＳとの間で利用可能な伝送リソースに合う選択された分割の仕方を取得する前記ステップの前に、前記方法は：
前記第１ＲＣＳを決定するステップであって、前記第１ＲＣＳは、前記少なくとも２つのＲＣＳのうちのＲＣＳであって前記第１ＲＲＳとの利用可能な最大伝送リソースを有するＲＣＳである、ステップを更に含む、請求項１−５のうち何れか１項に記載の方法。
【請求項７】
基地局機能配備装置であって、前記装置は、少なくとも第１無線センター・システムＲＣＳと第１無線リモート・システムＲＲＳとを含む基地局に適用され：
前記第１ＲＲＳと前記第１ＲＣＳとの間で利用可能な伝送リソースに合う選択された分割の仕方を取得するように構成される取得ユニットであって、前記選択された分割の仕方は、前記基地局の機能を第１機能グループと第２機能グループとに分割するために使用され、前記第２機能グループに含まれる機能により要求されるコンピューティング・リソースは、利用可能なコンピューティング・リソースより多くはなく、前記第１機能グループと前記第２機能グループとの間のデータ伝送により要求される伝送リソースは、前記利用可能な伝送リソースより多くはなく、前記利用可能なコンピューティング・リソースは、前記第１ＲＲＳにおけるコンピューティング・リソースであって基地局機能を処理するために割り当てられるコンピューティング・リソースである、取得ユニット；及び
前記第１機能グループに含まれる基地局機能であって前記選択された分割の仕方に基づいて決定される基地局機能を前記第１ＲＣＳに配備し、前記第２機能グループに含まれる基地局機能であって前記選択された分割の仕方に基づいて決定される基地局機能を前記第１ＲＲＳに配備するように構成される処理ユニット；
を含む装置。
【請求項８】
前記取得ユニットは：
前記第１ＲＲＳと前記第１ＲＣＳとの間で利用可能な伝送リソースに合う選択された分割の仕方を周期的に取得する；又は
前記第１ＲＲＳのエア・インターフェースの負荷が変化する場合に、前記第１ＲＲＳと前記第１ＲＣＳとの間で利用可能な伝送リソースに合う選択された分割の仕方を取得する；又は
前記利用可能な伝送リソースが変化する場合に、前記第１ＲＲＳと前記第１ＲＣＳとの間で利用可能な伝送リソースに合う選択された分割の仕方を取得する；
ように構成されている、請求項７に記載の装置。
【請求項９】
前記第１機能グループは、ＲＲＣ機能とＰＤＣＰ機能とを含み、前記第２機能グループは、ＲＬＣ機能と、ＭＡＣ機能と、ＰＨＹ機能と、ＩＲＦ機能とを含む、請求項８に記載の装置。
【請求項１０】
前記利用可能な伝送リソースが第１伝送閾値より多く、第２伝送閾値より多くはない場合、前記第１機能グループは、ＲＲＣ機能と、ＰＤＣＰ機能と、ＲＬＣ機能と、ＭＡＣ機能とを含み、前記第２機能グループは、ＰＨＹ機能と、ＩＲＦ機能とを含み；又は
前記利用可能な伝送リソースが第２伝送閾値より多い場合、前記第１機能グループは、前記ＲＲＣ機能と、前記ＰＤＣＰ機能と、前記ＲＬＣ機能と、前記ＭＡＣ機能と、ＰＨＹ−Ｈ機能とを含み、前記第２機能グループは、ＰＨＹ−Ｌ機能と、前記ＩＲＦ機能とを含む、請求項８に記載の装置。
【請求項１１】
前記処理ユニットは：前記基地局が第２ＲＲＳを更に含む場合に、前記第２機能グループに含まれる前記基地局機能を前記第２ＲＲＳに配備するように更に構成されている、請求項７−１０のうち何れか１項に記載の装置。
【請求項１２】
前記処理ユニットは：前記基地局が少なくとも２つのＲＣＳを含む場合に、前記第１ＲＣＳを決定するように更に構成されており、前記第１ＲＣＳは、前記少なくとも２つのＲＣＳのうちのＲＣＳであって前記第１ＲＲＳとの利用可能な最大伝送リソースを有するＲＣＳである、請求項７−１１のうち何れか１項に記載の装置。
【請求項１３】
命令を有するコンピュータ読み取り可能な記憶媒体であって、前記命令がコンピュータで実行されると、前記コンピュータは、請求項１−６のうち何れか１項に記載の前記方法を実行するように動作させられる、記憶媒体。
【発明の詳細な説明】
【技術分野】
【０００１】
本願は無線通信の分野に関連し、特に基地局機能配備方法及び装置に関連する。
【背景技術】
【０００２】
無線通信システムでは、分散基地局は、通常、２つのパート：ベースバンド・ユニット（ｂａｓｅｂａｎｄ  ｕｎｉｔ，ＢＢＵ）及びリモート無線ユニット（ｒｅｍｏｔｅ  ｒａｄｉｏ  ｕｎｉｔ，ＲＲＵ）を含む。ＢＢＵは、トランスポート・モジュール（ｔｒａｎｓｐｏｒｔ  ｍｏｄｕｌｅ，ＴＲＰ）機能、無線リソース制御（ｒａｄｉｏ  ｒｅｓｏｕｒｃｅ  ｃｏｎｔｒｏｌ，ＲＲＣ）機能、パケット・データ・コンバージェンス・プロトコル（ｐａｃｋｅｔ  ｄａｔａ  ｃｏｎｖｅｒｇｅｎｃｅ  ｐｒｏｔｏｃｏｌ，ＰＤＣＰ）機能、無線リンク制御（ｒａｄｉｏ  ｌｉｎｋ  ｃｏｎｔｒｏｌ，ＲＬＣ）機能、メディア・アクセス制御（ｍｅｄｉａ  ａｃｃｅｓｓ  ｃｏｎｔｒｏｌ，ＭＡＣ）機能、（ＰＨＹ−Ｈ機能及びＰＨＹ−Ｌ機能を含む）物理レイヤ（ｐｈｙｓｉｃａｌ  ｌａｙｅｒ，ＰＨＹ）機能等を配備するように構成される。ＲＲＵは中間及び無線周波数（ｉｎｔｅｒｍｅｄｉａｔｅ  ａｎｄ  ｒａｄｉｏ  ｆｒｅｑｕｅｎｃｙ，ＩＲＦ）機能を配備するように構成されてもよい。データは、共通公衆無線インターフェース（ｃｏｍｍｏｎ  ｐｕｂｌｉｃ  ｒａｄｉｏ  ｉｎｔｅｒｆａｃｅ，ＣＰＲＩ）を使用することにより、ＢＢＵとＲＲＵとの間で伝送され得る。
【０００３】
データは、基地局配備の間にＣＰＲＩを使用してＢＢＵとＲＲＵとの間で伝送されるので、対応する伝送リソースは、ＢＢＵとＲＲＵとの間のデータ伝送条件に基づいてＣＰＲＩに対して設定される必要があり、伝送リソースは、様々なデータ伝送帯域幅の光線であってもよい。実用上、ＢＢＵとＲＲＵとの間のデータ伝送を保証するために、対応する伝送リソースは、ＢＢＵとＲＲＵとの間の最大伝送条件に基づいてＣＰＲＩに対して設定されることを要する。基地局配備の間にＣＰＲＩに対して設定される伝送リソースが、ＣＰＲＩにより実際に要求される伝送リソースよりも多い場合、重大な伝送リソースの浪費が生じ；又は基地局配備の間にＣＰＲＩに対して設定される伝送リソースが、ＣＰＲＩにより実際に要求される伝送リソースよりも少ない場合、不十分な伝送リソースに起因して、基地局のサービス・パフォーマンスは影響を被る。
【発明の概要】
【０００４】
本願は伝送リソースの浪費又は不足を回避するために基地局機能配備方法及び装置を提供する。
【０００５】
第１態様によれば、本願は基地局機能配備方法を提供し、基地局は少なくとも第１無線センター・システムＲＣＳと第１無線リモート・システムＲＲＳとを含み、方法は：第１ＲＲＳと第１ＲＣＳとの間で利用可能な伝送リソースに合う選択された分割の仕方を取得するステップであって、選択された分割の仕方は、基地局の機能を第１機能グループと第２機能グループとに分割するために使用され、第２機能グループに含まれる機能により占有されることを要するコンピューティング・リソースは、利用可能なコンピューティング・リソースより多くはなく、第１機能グループと第２機能グループとの間のデータ伝送により占有されることを要する伝送リソースは、利用可能な伝送リソースより多くはなく、利用可能なコンピューティング・リソースは、第１ＲＲＳにおけるコンピューティング・リソースであって基地局機能を処理するために割り当てられるコンピューティング・リソースである、ステップ；及び第１機能グループに含まれる基地局機能であって選択された分割の仕方に基づいて決定される基地局機能を第１ＲＣＳに配備し、第２機能グループに含まれる基地局機能であって選択された分割の仕方に基づいて決定される基地局機能を第１ＲＲＳに配備するステップを含む。
【０００６】
この実装を使用することにより、基地局機能を配備する方法は、利用可能な伝送リソースのサイズに基づいて決定され得る。これは、基地局機能が配備された後に伝送リソースが割り当てられる配備の仕方に起因する伝送リソースの浪費又は不足を回避することができる。
【０００７】
第１態様に関し、第１態様の第１の可能な実装において、第１ＲＲＳと第１ＲＣＳとの間で利用可能な伝送リソースに合う選択された分割の仕方を取得するステップは：第１ＲＲＳと第１ＲＣＳとの間で利用可能な伝送リソースに合う選択された分割の仕方を周期的に取得するステップ；又は第１ＲＲＳのエア・インターフェースの負荷が変化する場合に、第１ＲＲＳと第１ＲＣＳとの間で利用可能な伝送リソースに合う選択された分割の仕方を取得するステップ；又は利用可能な伝送リソースが変化する場合に、第１ＲＲＳと第１ＲＣＳとの間で利用可能な伝送リソースに合う選択された分割の仕方を取得するステップを含む。
【０００８】
第１態様に関し、第１態様の第２の可能な実装において、第１機能グループは、ＲＲＣ機能とＰＤＣＰ機能とを含み、第２機能グループは、ＲＬＣ機能と、ＭＡＣ機能と、ＰＨＹ機能と、ＩＲＦ機能とを含む。
【０００９】
第１態様の第１の可能な実装に関し、第１態様の第３の可能な実装において、第１機能グループは、ＲＲＣ機能とＰＤＣＰ機能とを含み、第２機能グループは、ＲＬＣ機能と、ＭＡＣ機能と、ＰＨＹ機能と、ＩＲＦ機能とを含む。
【００１０】
第１態様又は第１態様の第１ないし第３の可能な実装のうちの任意の１つに関し、第１態様の第４の可能な実装において、基地局は第２ＲＲＳを更に含み；及び方法は：第２機能グループに含まれる基地局機能を第２ＲＲＳに配備するステップを更に含む。
【００１１】
第１態様又は第１態様の第１ないし第４の可能な実装のうちの任意の１つに関し、第１態様の第５の可能な実装において、基地局は少なくとも２つのＲＣＳを含み；及び第１ＲＲＳと第１ＲＣＳとの間で利用可能な伝送リソースに合う選択された分割の仕方を取得する前に、方法は：第１ＲＣＳを決定するステップであって、第１ＲＣＳは、少なくとも２つのＲＣＳのうちのＲＣＳであって第１ＲＲＳとの利用可能な最大伝送リソースを有するＲＣＳである、ステップを更に含む。
【００１２】
第２態様によれば、本願は基地局機能配備装置を更に提供し、配備装置は、第１態様又は第１態様の実装による方法のステップを実行するように構成される処理ユニット及び取得ユニット等のユニット・モジュールを含む。ユニット・モジュールは、メモリ又は通信インターフェースを制御することによって、配備装置のプロセッサによって実現されてもよい。
【００１３】
第３の態様によれば、本願は基地局を更に提供し、基地局は少なくとも１つのＲＣＳと少なくとも１つのＲＲＳとを含む。少なくとも１つのＲＲＳ又は少なくとも１つのＲＣＳの何れかは、第１態様又は第１態様の実装による基地局機能配備方法を実行するように構成され得る。
【００１４】
第４態様によれば、本願はコンピュータ読み取り可能な記憶媒体を更に提供する。コンピュータ読み取り可能な記憶媒体は命令を格納し、命令がコンピュータ上で実行されると、コンピュータは、第１態様又は第１態様の実装による方法を実行するように動作させられる。
【００１５】
第５態様によれば、本願は命令を含むコンピュータ・プログラム・プロダクトを更に提供し、コンピュータ・プログラム・プロダクトがコンピュータ上で動作すると、コンピュータは第１態様による方法を実行するように動作させられる。
【００１６】
本願で提供される方法、装置等によれば、分割の仕方は利用可能な伝送リソースに基づいて選択されることができ、その結果、伝送リソースが十分に利用され得る。従って、伝送リソースの浪費は削減されることが可能であり、不十分な伝送リソースに起因して基地局のサービス・パフォーマンスが影響を被るケースを回避する。
【図面の簡単な説明】
【００１７】
本願の技術的ソリューションをより明確に説明するために、以下、実施形態を説明するために必要とされる添付図面を簡単に説明する。明らかに、当業者は、創造的労力なしにこれらの添付図面から他の図面を導出することができる。
【図１】図１は本願による基地局の概略構造図である。
【図２】図２は本願による基地局機能間の論理的関係の概略図である。
【図３】図３は本願による基地局機能の分割の仕方の論理的関係の概略図である。
【図４】図４は本願による別の基地局機能の分割の仕方の論理的関係の概略図である。
【図５】図５は本願による更に別の基地局機能の分割の仕方の論理的関係の概略図である。
【図６】図６は本願による更に別の基地局機能の分割の仕方の論理的関係の概略図である。
【図７】図７は本願による基地局機能配備方法の実施形態の概略フローチャートである。
【図８】図８は本願による基地局機能配備装置の実施形態の概略構造図である。
【図９】図９は本願による基地局機能配備装置の別の実施形態の概略構造図である。
【発明を実施するための形態】
【００１８】
本願の実施形態では、基地局は、少なくとも１つの無線センター・システム（ｒａｄｉｏ  ｃｅｎｔｅｒ  ｓｙｓｔｅｍ，ＲＣＳ）及び少なくとも１つの無線リモート・システム（ｒａｄｉｏ  ｒｅｍｏｔｅ  ｓｙｓｔｅｍ，ＲＲＳ）を含むことができ、データは、光ケーブル等の媒体を利用することにより、ＲＲＳとＲＣＳとの間で伝送され得る。例えば、図１に示されるように、基地局は少なくとも第１ＲＣＳ１０１と第１ＲＲＳ１０２とを含むことができる。
【００１９】
基地局に配備されることを要する基地局機能は、無線リソース制御（ｒａｄｉｏ  ｒｅｓｏｕｒｃｅ  ｃｏｎｔｒｏｌ，ＲＲＣ）機能、パケット・データ・コンバージェンス・プロトコル（ｐａｃｋｅｔ  ｄａｔａ  ｃｏｎｖｅｒｇｅｎｃｅ  ｐｒｏｔｏｃｏｌ，ＰＤＣＰ）機能、無線リンク・レイヤ制御プロトコル（ｒａｄｉｏ  ｌｉｎｋ  ｃｏｎｔｒｏｌ，ＲＬＣ）機能、メディア・アクセス制御（ｍｅｄｉａ  ａｃｃｅｓｓ  ｃｏｎｔｒｏｌ，ＭＡＣ）機能、物理層（ｐｈｙｓｉｃａｌ  ｌａｙｅｒ，ＰＨＹ）機能、ＩＲＦ機能等を含み得る。ＰＨＹ機能は、ＰＨＹ−Ｈ機能とＰＨＹ−Ｌ機能とに更に分けることができる。基地局機能間の論理的関係は図２に示すことができる。様々な実際の使用条件に基づいて、基地局の機能は、Ｓ１、Ｉ１０、Ｉ８、Ｉ６、Ｉ４、Ｉｅ又はＩ１等の様々な分け方で、第１機能グループと第２機能グループとに分割され得る。第１機能グループに含まれる基地局機能はＲＣＳに配備され、第２機能グループに含まれる基地局機能はＲＲＳに配備される。基地局機能が第１機能グループと第２機能グループとに分割される場合、分割ポイントとＩＲＦ機能との間の距離がより遠いことは、ＲＲＳに配備される基地局機能がより多くの計算リソースを必要とし、それに応じて、ＲＲＳとＲＣＳとの間のデータ伝送は、より少ないデータ伝送リソースを必要とする。更に、基地局が複数のＲＲＳを含む場合、分割ポイントとＩＲＦ機能の間の距離がより近いことは、ＲＲＳ間のより良い協調をもたらす。
【００２０】
図３に示されるように、Ｉ１分割が基地局で実行される場合、第１機能グループは、ＲＲＣ機能、ＰＤＣＰ機能、ＲＬＣ機能、ＭＡＣ機能、及びＰＨＹ機能を含み、第２機能グループはＩＲＦ機能を含むことができる。図４に示されるように、Ｉ４又はＩｅ分割が基地局で実行される場合、第１機能グループは、ＲＲＣ機能、ＰＤＣＰ機能、ＲＬＣ機能、ＭＡＣ機能、及びＰＨＹ−Ｈ機能を含み、第２機能グループはＰＨＹ−Ｌ機能及びＩＲＦ機能を含むことができる。図５に示されるように、Ｉ６分割が基地局で実行される場合、第１機能グループは、ＲＲＣ機能、ＰＤＣＰ機能、ＲＬＣ機能、及びＭＡＣ機能を含み、第２機能グループは、ＰＨＹ機能及びＩＲＦ機能を含むことができる。図６に示されるように、Ｉ８分割が基地局で実行される場合、第１機能グループは、ＲＲＣ機能及びＰＤＣＰ機能を含み、第２機能グループは、ＲＬＣ機能、ＭＡＣ機能、ＰＨＹ機能、及びＩＲＦ機能を含むことができる。他の分割の仕方はここで１つひとつ列挙されない。
【００２１】
分割ポイントとハイブリッド自動再送要求（ｈｙｂｒｉｄ  ａｕｔｏｍａｔｉｃ  ｒｅｐｅａｔ  ｒｅｑｕｅｓｔ，ＨＡＲＱ）ループとの間の関係に基づいて、分割の仕方は、ＨＡＲＱループ内・分割とＨＡＲＱループ外・分割とに分類されてもよい。Ｉ６、Ｉ４、Ｉｅ、及びＩ１分割等のＨＡＲＱループ内・分割は、基地局が２つ以上のＲＲＳを含む場合に、比較的良好なトランスポート・ネットワーキング及び協調機能を有する。従って、基地局機能は、通常、ＨＡＲＱループ内・分割を使用することにより、２つの機能グループに分割され得る。
【００２２】
図７は本出願による基地局機能配備方法の実施形態の概略フローチャートである。この実施形態で説明される方法は、基地局内の任意のＲＣＳ又は任意のＲＲＳによって実行されてもよく、ＲＲＳ及びＲＣＳを除く基地局内の別の装置によって実行されてもよく、又は基地局以外の別の装置によって実行されてもよい。説明を容易にするために、本願の実施形態を実行するように構成されるＲＣＳ、ＲＲＳ、及び他の装置は、以下の実施形態においてまとめて配備装置と言及される。
【００２３】
ステップ７０１：第１ＲＲＳと第１ＲＣＳとの間の利用可能な伝送リソースに適合する選択された分割の仕方を取得し、ここで、選択された分割の仕方は、基地局の機能を第１機能グループと第２機能グループとに分割するために使用される。
【００２４】
選択された分割の仕方が利用可能な送信リソースに適合しているということは、基地局が選択された分割の仕方で分割される場合に、第１機能グループと第２機能グループとの間のデータ送信によって占有されることを要する伝送リソースが、利用可能な伝送リソースより多くない、ということであってもよい。
【００２５】
一般に、選択された分割の仕方が利用可能な送信リソースに適合しているということは、基地局の機能が、選択された分割の仕方で第１機能グループと第２機能グループとに分割された後、第１機能グループと第２機能グループとの間のデータ送信に要求される伝送リソースが第１プリセット値未満ではなく且つ第２プリセット値より多くない、ということであってもよい。第１プリセット値と第２プリセット値との双方が必要に応じて設定されてもよく、第２プリセット値は第１プリセット値より大きい。
【００２６】
様々な実際のアプリケーション・シナリオに基づいて、選択された分割の仕方は、利用可能な伝送リソースに合致することに加えて、別の制約を満たすことを更に必要とするかもしれない。例えば、一般に、満たされることを更に必要とする別の制約は、次の通りである：第２機能グループに含まれる機能によって占有されることを要するコンピューティング・リソースは、利用可能なコンピューティング・リソースよりも多くないことを更に要する。利用可能なコンピューティング・リソースは、第１ＲＲＳにおけるコンピューティング・リソースであって基地局機能を処理するために割り当てられるコンピューティング・リソースである。ＲＲＳの全体的なコンピューティング・リソースが固定される場合において、より多くのコンピューティング・リソースがエア・インターフェース・サービスに割り当てられるとき、利用可能なコンピューティング・リソースはより少なくなり、より少ないコンピューティング・リソースがエア・インターフェース・サービスに割り当てられるとき、利用可能なコンピューティング・リソースはより多くなる。
【００２７】
従って、基地局機能配備の間に、配備装置は、第１ＲＲＳと第１ＲＣＳとの間の利用可能な伝送リソースに基づいて、別の制約を参照して、選択された分割の仕方を選択してもよい。
【００２８】
例えば、初期の基地局配備の間では、利用可能な伝送リソースは比較的少なく、ＲＲＳのエア・インターフェースの負荷は比較的低いので、配備装置は、複数のＲＲＳ間の協調を考慮することなく、選択された分割の仕方としてＩ８分割を選択することができる。Ｉ８分割が使用される場合、第１機能グループはＲＲＣ機能とＰＤＣＰ機能とを含み、第２機能グループはＲＬＣ機能、ＭＡＣ機能、ＰＨＹ機能、及びＩＲＦ機能を含む。Ｉ８分割が、選択された分割の仕方として使用される場合、ＲＲＳとＲＣＳとの間のデータ伝送は比較的少ないリソースを必要とする。従って、ＲＲＳのコンピューティング・リソース条件、及びＲＲＳとＲＣＳとの間のデータ伝送の条件の双方が考慮され得る。複数のＲＲＳがコーディネートされる必要がある場合、代替的に、配備装置は選択された分割の仕方としてＩ６分割を選択することができる。
【００２９】
初期の基地局配備が完了した後、配備装置は、必要に応じて、基地局の機能を更に再配備することができる。
【００３０】
配備装置は、基地局機能を定期的に再配備するために、第１ＲＲＳと第１ＲＣＳとの間の利用可能な伝送リソースに合う選択された分割の仕方を周期的に取得することができる。代替的に、第１ＲＲＳのエア・インターフェースの負荷が変化した後、又は利用可能な伝送リソースが変化した後、配備装置は、基地局機能を条件に応じて再配備するために、第１ＲＲＳと第１ＲＣＳとの間の利用可能な伝送リソースに合う選択された分割の仕方を取得することができる。
【００３１】
例えば、基地局がより多くの端末に応対することを要する場合、基地局のエア・インターフェースの負荷は増加する。しかしながら、より高いエア・インターフェースの負荷は、第１ＲＲＳのより少ない利用可能なコンピューティング・リソースを招く。基地局のエア・インターフェースの負荷が増加すると、エア・インターフェース・サービスの条件を満たすように、基地局機能は再配備されることを要する。
【００３２】
基地局再配備の間に、利用可能な伝送リソースが第１伝送閾値より多く、第２伝送閾値より多くない場合、配備装置は、選択された分割の仕方としてＩ６分割を使用してもよい。従って、第１機能グループはＲＲＣ機能、ＰＤＣＰ機能、ＲＬＣ機能、及びＭＡＣ機能を含み、第２機能グループはＰＨＹ機能及びＩＲＦ機能を含む。例えば、第１伝送閾値は２５Ｇであってもよく、第２伝送閾値は４０Ｇであってもよい。選択された分割の仕方としてＩ６分割を使用することは、第２機能グループのコンピューティング・リソース条件を減らすことができ、その結果、ＲＲＳにおけるより多くのコンピューティング・リソースがエア・インターフェース・サービスに割り当てられる。
【００３３】
代替的に、利用可能な伝送リソースが第２伝送閾値よりも大きい場合、選択された分割の仕方としてＩ４／Ｉｅ分割が使用されてもよい。従って、第１機能グループはＲＲＣ機能、ＰＤＣＰ機能、ＲＬＣ機能、ＭＡＣ機能を含み、第２機能グループはＰＨＹ機能及びＩＲＦ機能を含む。例えば、第１伝送閾値は２５Ｇであってもよく、第２伝送閾値は４０Ｇであってもよい。利用可能な伝送リソースが十分である場合、選択された分割の仕方としてＩ４／Ｉｅ分割を使用することは、第２機能グループのコンピューティング・リソース条件を減らすことができ、その結果、ＲＲＳの中でより多くのコンピューティング・リソースがエア・インターフェース・サービスに割り当てられ、それによって、ＲＲＳアップグレード要求を減らすことができる。
【００３４】
代替的に、利用可能な伝送リソースが十分以上である場合、例えば、利用可能な伝送リソースが第３伝送閾値より多い場合、選択された分割の仕方としてＩ１分割が使用されてもよい。従って、第１機能グループはＲＲＣ機能、ＰＤＣＰ機能、ＲＬＣ機能、ＭＡＣ機能、ＰＨＹ機能を含み、第２機能グループはＩＲＦ機能を含む。例えば、第３伝送閾値は１００Ｇであってもよい。
【００３５】
基地局が複数のＲＲＳを含む場合、ＲＲＳ間の協調を保証するために、同じ基地局機能が全てのＲＲＳに配備されてもよい。例えば、基地局が第２ＲＲＳを更に含む場合、第２機能グループに含まれる基地局機能もまた、第２ＲＲＳに配備されてもよい。第１ＲＲＳに配備される基地局機能は、第２ＲＲＳに配備される基地局機能と一致している。選択された分割の仕方がＨＡＲＱループ内・分割である場合、第２ＲＲＳと第１ＲＲＳとの間の協調のために、好ましい条件が作成されてもよい。
【００３６】
実用上、第１ＲＣＳに加えて、基地局は第２ＲＣＳ等の複数のＲＣＳを更に含み得る。従って、分割の仕方を得る前に、配備装置は更に、基地局に含まれるＲＣＳのうちのＲＣＳであって、第１ＲＲＳに応対する第１ＲＣＳとして使用されるＲＣＳを先ず決定してもよい。通常、第１ＲＲＳとの利用可能な最大伝送リソースを有するＲＣＳが、第１ＲＣＳとして選択され得る。
【００３７】
ステップ７０２：第１機能グループに含まれる基地局機能を第１ＲＣＳに配備し、第２機能グループに含まれる基地局機能を第１ＲＲＳに配備する。
【００３８】
選択された分割の仕方が取得された後、それに応じて、第１機能グループに含まれる基地局機能及び第２機能グループに含まれる基地局機能が決定される。第１機能グループに含まれる基地局機能と第２機能グループに含まれる基地局機能との両方が決定された後、配備装置は、第１機能グループに含まれる基地局機能をＲＣＳに配備し、第２機能グループに含まれる基地局機能をＲＲＳに配備することができる。
【００３９】
本願における基地局機能配備方法に対応して、本願は基地局機能配備装置を更に提供する。
【００４０】
図８は本願による基地局機能配備装置の実施形態の概略構造図である。配備装置は、ＲＣＳ又はＲＲＳに配置されてもよいし、別のデバイスに配置されてもよいし、ＲＲＳ又はＲＣＳであってもよい。
【００４１】
図８に示されるように、配備装置は、取得ユニット８０１及び処理ユニット８０２を含み得る。
【００４２】
取得ユニット８０１は、第１ＲＲＳと第１ＲＣＳとの間で利用可能な伝送リソースに合う選択された分割の仕方を取得するように構成され、選択された分割の仕方は、基地局の機能を第１機能グループと第２機能グループとに分割するために使用され、第２機能グループに含まれる機能により占有されることを要するコンピューティング・リソースは、利用可能なコンピューティング・リソースより多くはなく、第１機能グループと第２機能グループとの間のデータ伝送により占有されることを要する伝送リソースは、利用可能な伝送リソースより多くはなく、利用可能なコンピューティング・リソースは、第１ＲＲＳにおけるコンピューティング・リソースであって基地局機能を処理するために割り当てられるコンピューティング・リソースである。処理ユニット８０２は：第１機能グループに含まれる基地局機能であって選択された分割の仕方に基づいて決定される基地局機能を第１ＲＣＳに配備し；第２機能グループに含まれる基地局機能であって選択された分割の仕方に基づいて決定される基地局機能を第１ＲＲＳに配備するように構成される。
【００４３】
取得ユニット８０１は：第１ＲＲＳと第１ＲＣＳとの間で利用可能な伝送リソースに合う選択された分割の仕方を周期的に取得する；又は第１ＲＲＳのエア・インターフェースの負荷が変化する場合に、第１ＲＲＳと第１ＲＣＳとの間で利用可能な伝送リソースに合う選択された分割の仕方を取得する；又は利用可能な伝送リソースが変化する場合に、第１ＲＲＳと第１ＲＣＳとの間で利用可能な伝送リソースに合う選択された分割の仕方を取得するように更に構成されていてもよい。
【００４４】
選択的に、第１機能グループは、ＲＲＣ機能とＰＤＣＰ機能とを含み、第２機能グループは、ＲＬＣ機能と、ＭＡＣ機能と、ＰＨＹ機能と、ＩＲＦ機能とを含む。
【００４５】
選択的に、利用可能な伝送リソースが第１伝送閾値より多く、第２伝送閾値より多くはない場合、第１機能グループは、ＲＲＣ機能と、ＰＤＣＰ機能と、ＲＬＣ機能と、ＭＡＣ機能とを含み、第２機能グループは、ＰＨＹ機能と、ＩＲＦ機能とを含み；又は利用可能な伝送リソースが第２伝送閾値より多い場合、第１機能グループは、ＲＲＣ機能と、ＰＤＣＰ機能と、ＲＬＣ機能と、ＭＡＣ機能と、ＰＨＹ−Ｈ機能とを含み、第２機能グループは、ＰＨＹ−Ｌ機能と、ＩＲＦ機能とを含む。
【００４６】
処理ユニット８０２は：基地局が第２ＲＲＳを更に含む場合に、第２機能グループに含まれる基地局機能を第２ＲＲＳに配備するように更に構成される。
【００４７】
処理ユニット８０２は：基地局が少なくとも２つのＲＣＳを含む場合に、第１ＲＣＳを決定するように更に構成されており、第１ＲＣＳは、少なくとも２つのＲＣＳのうちのＲＣＳであって第１ＲＲＳとの利用可能な最大伝送リソースを有するＲＣＳである。
【００４８】
図９は本願による基地局機能配備装置の別の実施形態の概略構造図である。配備装置は、ＲＣＳ又はＲＲＳに配置されてもよいし、別の装置に配置されてもよいし、ＲＲＳ又はＲＣＳであってもよい。
【００４９】
図９に示されるように、配備装置は、プロセッサ９０１、メモリ９０２、及び通信インターフェース９０３を含んでもよい。
【００５０】
配備装置の制御センタとして、プロセッサ９０１は、種々のインターフェース及びラインを使用することにより配備装置全体の各部分に接続され、メモリに格納されたソフトウェア・プログラム及び／又はモジュールを動作させ又は実行することにより及びメモリに格納されたデータを呼び出すことにより、配備装置の種々の機能及び／又はデータ処理を実行する。プロセッサは、中央処理ユニット（ｃｅｎｔｒａｌ  ｐｒｏｃｅｓｓｉｎｇ  ｕｎｉｔ，略称ＣＰＵ）、ネットワーク・プロセッサ（ｎｅｔｗｏｒｋ  ｐｒｏｃｅｓｓｏｒ，略称ＮＰ）、又はＣＰＵ及びＮＰの組み合わせであってもよい。プロセッサはハードウェア・チップを更に含んでもよい。ハードウェア・チップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，略称ＡＳＩＣ）、プログラマブル論理デバイス（ｐｒｏｇｒａｍｍａｂｌｅ  ｌｏｇｉｃ  ｄｅｖｉｃｅ，略称ＰＬＤ）、又はそれらの組み合わせであってもよい。ＰＬＤは、複合的なプログラマブル論理デバイス（ｃｏｍｐｌｅｘ  ｐｒｏｇｒａｍｍａｂｌｅ  ｌｏｇｉｃ  ｄｅｖｉｃｅ，略称ＣＰＬＤ）、フィールド・プログラマブル・ゲート・アレイ（ｆｉｅｌｄ−ｐｒｏｇｒａｍｍａｂｌｅ  ｇａｔｅ  ａｒｒａｙ，略称ＦＰＧＡ）、汎用アレイ論理（ｇｅｎｅｒｉｃ  ａｒｒａｙ  ｌｏｇｉｃ，略称ＧＡＬ）、又はそれらの任意の組み合わせであってもよい。
【００５１】
メモリ９０２は、ランダム・アクセス・メモリ（ｒａｎｄｏｍ  ａｃｃｅｓｓ  ｍｅｍｏｒｙ，略称ＲＡＭ）等の揮発性メモリ（ｖｏｌａｔｉｌｅ  ｍｅｍｏｒｙ）を含んでもよく；フラッシュ・メモリ（ｆｌａｓｈ  ｍｅｍｏｒｙ）、ハード・ディスク・ドライブ（ｈａｒｄ  ｄｉｓｋ  ｄｒｉｖｅ，略称ＨＤＤ）、又はソリッド・ステート・ディスク（ｓｏｌｉｄ−ｓｔａｔｅ  ｄｒｉｖｅ，略称ＳＳＤ）等の不揮発性メモリ（ｎｏｎ−ｖｏｌａｔｉｌｅ  ｍｅｍｏｒｙ）を含んでもよく；又は前述のタイプのメモリの組み合わせを含んでもよい。メモリは、プログラム又はコードを記憶することができ、ネットワーク要素内のプロセッサは、プログラム又はコードを実行することによって、ネットワーク要素の機能を実現することができる。
【００５２】
通信インターフェースは、装置と他の装置との間の通信を実現するように構成され得る。例えば、配備装置がＲＣＳである場合に、通信インターフェースは、ＲＲＳとＲＣＳとの間の通信を実現するように構成された共通公衆無線インターフェース（ｃｏｍｍｏｎ  ｐｕｂｌｉｃ  ｒａｄｉｏ  ｉｎｔｅｒｆａｃｅ，ＣＰＲＩ）であってもよい。
【００５３】
プロセッサ９０１は：通信インターフェース９０３を使用することにより他の装置から、又はメモリ９０２から、第１ＲＲＳと第１ＲＣＳとの間で利用可能な伝送リソースに合う選択された分割の仕方を取得するように構成されてもよく、選択された分割の仕方は、基地局の機能を第１機能グループと第２機能グループとに分割するために使用され、第２機能グループに含まれる機能によって占有される必要のあるコンピューティング・リソースは、利用可能なコンピューティング・リソースより多くはなく、第１機能グループと第２機能グループとの間のデータ送信によって占有される必要のある伝送リソースは、利用可能な伝送リソースより多くはなく、利用可能なコンピューティング・リソースは、第１ＲＲＳにおけるコンピューティング・リソースであって基地局機能を処理するために割り当てられるコンピューティング・リソースであり；プロセッサ９０１は：第１機能グループに含まれる基地局機能であって選択された分割の仕方に基づいて決定された基地局機能を第１ＲＣＳに配置し、及び第２機能グループに含まれる基地局機能であって選択された分割の仕方に基づいて決定された基地局機能を第１ＲＲＳに配置するように構成されてもよい。
【００５４】
選択的に、プロセッサ９０１は：第１ＲＲＳと第１ＲＣＳとの間の利用可能な伝送リソースに合う選択された分割の仕方を周期的に取得する；又は第１ＲＲＳのエア・インターフェースの負荷が変化した場合に、第１ＲＲＳと第１ＲＣＳとの間の利用可能な伝送リソースに合う選択された分割の仕方を取得する；又は利用可能な伝送リソースが変化した場合に、第１ＲＲＳと第１ＲＣＳとの間の利用可能な伝送リソースに合う選択された分割の仕方を取得するように構成されてもよい。
【００５５】
選択的に、プロセッサ９０１は、第２機能グループに含まれる基地局機能を第２ＲＲＳに配備するように更に構成されてもよい。
【００５６】
選択的に、プロセッサ９０１は、第１ＲＣＳを決定するように更に構成されてもよく、第１ＲＣＳは、少なくとも２つのＲＣＳのうちのＲＣＳであって第１ＲＲＳとの利用可能な最大伝送リソースを有するＲＣＳである。
【００５７】
前述の方法及び装置に対応して、本願は基地局を更に提供する。例えば、図１に示されるように、基地局は少なくとも１つのＲＣＳ及び少なくとも１つのＲＲＳを含み得る。
【００５８】
実施形態において、少なくとも１つのＲＣＳのうちの少なくとも１つは、前述の実施形態での方法を実行するように構成されてもよく、又は前述の実施形態での装置を備えていてもよい。別の実施形態では、少なくとも１つのＲＲＳのうちの少なくとも１つは、前述の実施形態の方法を実行するように構成されてもよく、又は前述の実施形態の装置を備えてもよい。
【００５９】
前述の実施形態の全部又は一部は、ソフトウェア、ハードウェア、ファームウェア、又はそれらの任意の組み合わせにより実装されてもよい。実施形態を実現するためにソフトウェアが使用しされる場合、実施形態は、コンピュータ・プログラム・プロダクトの形態で部分的に又は完全に実現されてもよい。コンピュータ・プログラム・プロダクトは、１つ以上のコンピュータ命令を含む。コンピュータ・プログラム命令がロードされ、コンピュータ上で実行される場合、本発明の実施形態による手順又は機能が全部又は部分的にもたらされる。コンピュータは、汎用コンピュータ、専用コンピュータ、コンピュータ・ネットワーク、又は他のプログラム可能な装置であってもよい。コンピュータ命令は、コンピュータ読み取り可能な記憶媒体に記憶されてもよく、或いは、あるコンピュータ読み取り可能な記憶媒体から別のコンピュータ読み取り可能な記憶媒体へ送信されてもよい。例えば、コンピュータ命令は、ウェブサイト、コンピュータ、サーバー、又はデータセンターから、他のウェブサイト、コンピュータ、サーバー、又はデータセンターへ、有線（例えば、同軸ケーブル、光ファイバ、又はディジタル加入者回線ＤＳＬ）又は無線（例えば、赤外線、無線、及びマイクロ波）の方式で伝送され得る。コンピュータ読み取り可能な記憶媒体は、コンピュータによってアクセス可能な任意の利用可能な媒体、又は１つ以上の利用可能な媒体を統合するサーバー又はデータセンター等のデータ記憶装置であってもよい。使用可能な媒体は、磁気媒体（例えば、フロッピー・ディスク、ハード・ディスク・ドライブ、又は磁気テープ）、光媒体（例えば、ＤＶＤ）、半導体媒体（例えば、ソリッド・ステート・ドライブＳＳＤ）等であってもよい。
【００６０】
本願の上記の実装は本願の保護範囲に関する制限を何ら構成しない。
【図１】
2020513184.tif 000003
【図２】
2020513184.tif 000004
【図３】
2020513184.tif 000005
【図４】
2020513184.tif 000006
【図５】
2020513184.tif 000007
【図６】
2020513184.tif 000008
【図７】
2020513184.tif 000009
【図８】
2020513184.tif 000010
【図９】
2020513184.tif 000011
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
基地局機能配備方法であって、基地局は少なくとも第１無線センター・システム（ＲＣＳ）と第１無線リモート・システム（ＲＲＳ）とを含み、前記方法は：
前記第１ＲＲＳと前記第１ＲＣＳとの間で利用可能な伝送リソースに合う選択された分割の仕方を取得するステップであって、前記選択された分割の仕方は、前記基地局の機能を第１機能グループと第２機能グループとに分割するために使用され、前記第２機能グループに含まれる機能により要求されるコンピューティング・リソースは、利用可能なコンピューティング・リソースより多くはなく、前記第１機能グループと前記第２機能グループとの間のデータ伝送により要求される伝送リソースは、前記利用可能な伝送リソースより多くはなく、前記利用可能なコンピューティング・リソースは、前記第１ＲＲＳにおけるコンピューティング・リソースであって基地局機能を処理するために割り当てられるコンピューティング・リソースである、ステップ；
前記第１機能グループに含まれる基地局機能であって前記選択された分割の仕方に基づいて決定される基地局機能を前記第１ＲＣＳに配備し、前記第２機能グループに含まれる基地局機能であって前記選択された分割の仕方に基づいて決定される基地局機能を前記第１ＲＲＳに配備するステップ；
を含む方法。
【請求項２】
前記第１ＲＲＳと前記第１ＲＣＳとの間で利用可能な伝送リソースに合う選択された分割の仕方を取得する前記ステップは：
前記第１ＲＲＳと前記第１ＲＣＳとの間で利用可能な伝送リソースに合う選択された分割の仕方を周期的に取得するステップ；又は
前記第１ＲＲＳのエア・インターフェースの負荷が変化する場合に、前記第１ＲＲＳと前記第１ＲＣＳとの間で利用可能な伝送リソースに合う選択された分割の仕方を取得するステップ；又は
前記利用可能な伝送リソースが変化する場合に、前記第１ＲＲＳと前記第１ＲＣＳとの間で利用可能な伝送リソースに合う選択された分割の仕方を取得するステップ；
を含む、請求項１に記載の方法。
【請求項３】
前記第１機能グループは、無線リソース制御（ＲＲＣ）機能と、パケット・データ・コンバージェンス・プロトコル（ＰＤＣＰ）機能とを含み、前記第２機能グループは、無線リンク制御（ＲＬＣ）機能と、メディア・アクセス制御（ＭＡＣ）機能と、物理レイヤ（ＰＨＹ）機能と、ＩＲＦ機能とを含む、請求項１に記載の方法。
【請求項４】
前記利用可能な伝送リソースが第１伝送閾値より多く、第２伝送閾値より多くはない場合、前記第１機能グループは、ＲＲＣ機能と、ＰＤＣＰ機能と、ＲＬＣ機能と、ＭＡＣ機能とを含み、前記第２機能グループは、ＰＨＹ機能と、ＩＲＦ機能とを含み；又は
前記利用可能な伝送リソースが第２伝送閾値より多い場合、前記第１機能グループは、前記ＲＲＣ機能と、前記ＰＤＣＰ機能と、前記ＲＬＣ機能と、前記ＭＡＣ機能と、ＰＨＹ−Ｈ機能とを含み、前記第２機能グループは、ＰＨＹ−Ｌ機能と、前記ＩＲＦ機能とを含む、請求項２に記載の方法。
【請求項５】
前記基地局は第２ＲＲＳを更に含み；及び
前記方法は：前記第２機能グループに含まれる前記基地局機能を前記第２ＲＲＳに配備するステップを更に含む、請求項１−４のうち何れか１項に記載の方法。
【請求項６】
前記基地局は少なくとも２つのＲＣＳを含み；及び
前記第１ＲＲＳと前記第１ＲＣＳとの間で利用可能な伝送リソースに合う選択された分割の仕方を取得する前記ステップの前に、前記方法は：
前記第１ＲＣＳを決定するステップであって、前記第１ＲＣＳは、前記少なくとも２つのＲＣＳのうちのＲＣＳであって前記第１ＲＲＳとの利用可能な最大伝送リソースを有するＲＣＳである、ステップを更に含む、請求項１−５のうち何れか１項に記載の方法。
【請求項７】
基地局機能配備装置であって、前記装置は、少なくとも第１無線センター・システム（ＲＣＳ）と第１無線リモート・システム（ＲＲＳ）とを含む基地局に適用され：
前記第１ＲＲＳと前記第１ＲＣＳとの間で利用可能な伝送リソースに合う選択された分割の仕方を取得するように構成される取得ユニットであって、前記選択された分割の仕方は、前記基地局の機能を第１機能グループと第２機能グループとに分割するために使用され、前記第２機能グループに含まれる機能により要求されるコンピューティング・リソースは、利用可能なコンピューティング・リソースより多くはなく、前記第１機能グループと前記第２機能グループとの間のデータ伝送により要求される伝送リソースは、前記利用可能な伝送リソースより多くはなく、前記利用可能なコンピューティング・リソースは、前記第１ＲＲＳにおけるコンピューティング・リソースであって基地局機能を処理するために割り当てられるコンピューティング・リソースである、取得ユニット；及び
前記第１機能グループに含まれる基地局機能であって前記選択された分割の仕方に基づいて決定される基地局機能を前記第１ＲＣＳに配備し、前記第２機能グループに含まれる基地局機能であって前記選択された分割の仕方に基づいて決定される基地局機能を前記第１ＲＲＳに配備するように構成される処理ユニット；
を含む装置。
【請求項８】
前記取得ユニットは：
前記第１ＲＲＳと前記第１ＲＣＳとの間で利用可能な伝送リソースに合う選択された分割の仕方を周期的に取得する；又は
前記第１ＲＲＳのエア・インターフェースの負荷が変化する場合に、前記第１ＲＲＳと前記第１ＲＣＳとの間で利用可能な伝送リソースに合う選択された分割の仕方を取得する；又は
前記利用可能な伝送リソースが変化する場合に、前記第１ＲＲＳと前記第１ＲＣＳとの間で利用可能な伝送リソースに合う選択された分割の仕方を取得する；
ように構成されている、請求項７に記載の装置。
【請求項９】
前記第１機能グループは、ＲＲＣ機能とＰＤＣＰ機能とを含み、前記第２機能グループは、ＲＬＣ機能と、ＭＡＣ機能と、ＰＨＹ機能と、ＩＲＦ機能とを含む、請求項８に記載の装置。
【請求項１０】
前記利用可能な伝送リソースが第１伝送閾値より多く、第２伝送閾値より多くはない場合、前記第１機能グループは、ＲＲＣ機能と、ＰＤＣＰ機能と、ＲＬＣ機能と、ＭＡＣ機能とを含み、前記第２機能グループは、ＰＨＹ機能と、ＩＲＦ機能とを含み；又は
前記利用可能な伝送リソースが第２伝送閾値より多い場合、前記第１機能グループは、前記ＲＲＣ機能と、前記ＰＤＣＰ機能と、前記ＲＬＣ機能と、前記ＭＡＣ機能と、ＰＨＹ−Ｈ機能とを含み、前記第２機能グループは、ＰＨＹ−Ｌ機能と、前記ＩＲＦ機能とを含む、請求項８に記載の装置。
【請求項１１】
前記処理ユニットは：前記基地局が第２ＲＲＳを更に含む場合に、前記第２機能グループに含まれる前記基地局機能を前記第２ＲＲＳに配備するように更に構成されている、請求項７−１０のうち何れか１項に記載の装置。
【請求項１２】
前記処理ユニットは：前記基地局が少なくとも２つのＲＣＳを含む場合に、前記第１ＲＣＳを決定するように更に構成されており、前記第１ＲＣＳは、前記少なくとも２つのＲＣＳのうちのＲＣＳであって前記第１ＲＲＳとの利用可能な最大伝送リソースを有するＲＣＳである、請求項７−１１のうち何れか１項に記載の装置。
【請求項１３】
命令を有するコンピュータ読み取り可能な記憶媒体であって、前記命令がコンピュータで実行されると、前記コンピュータは、請求項１−６のうち何れか１項に記載の前記方法を実行するように動作させられる、記憶媒体。
【国際調査報告】
2020513184.tif 000012
2020513184.tif 000013
2020513184.tif 000014
2020513184.tif 000015